(57)【要約】  【課題】  サッシ枠の屋外側に簡単に設定することができる外付けブラインドを提供する。  【解決手段】  サッシ枠３０の屋外側に設けられた網戸用レール３２に嵌め込み可能なレール部１２ａ、１２ｂを上下に有する枠体１２と、枠体１２内に配置されるブラインド支持体１６と、ブラインド支持体１６に支持されて、枠体１２内を遮蔽可能であると共に開閉動作可能なスラット２０と、スラット２０を開閉動作させるための操作コード２６と、を有する。【選択図】  図２
2005282072.tif 000002
【特許請求の範囲】
【請求項１】
サッシ枠（３０）の屋外側に設けられたレール（３２）に嵌め込み可能なレール部（１２ａ、１２ｂ）を上下に有する枠体（１２）と、該枠体（１２）内に配置される遮蔽材支持体（１６）と、遮蔽材支持体（１６）に支持されて、枠体（１２）内を遮蔽可能であると共に開閉動作可能な遮蔽材（２０）と、遮蔽材（２０）を開閉動作させるための操作部（２６）と、を有することを特徴とする外付けブラインド。
【請求項２】
前記サッシ枠（３０）の屋外側に設けられたレール（３２）は網戸用レールであることを特徴とする請求項１記載の外付けブラインド。
【請求項３】
枠体（１２）の屋外側には、網戸（４０）のレール部（４０ａ、４０ｂ）が嵌め込み可能な網戸用レール部（１２ｅ、１２ｆ）が設けられることを特徴とする請求項１または２記載の外付けブラインド。
【発明の詳細な説明】
【技術分野】
【０００１】
本発明は、サッシ枠の屋外側に取り付けることができる外付けブラインドに関する。
【背景技術】
【０００２】
従来、屋外側に取り付けられるブラインドとしては、特許文献１（実開昭６１−１５０９９５号公報）に記載されたものが知られている。このようなブラインドでは、屋外側に配設された場合に風圧やその他の外力によりスラットがばたつかないようにしなければならず、そのために、この公報に記載のブラインドでは、複数枚のスラットの両端部を貫通して縦方向に延び、スラットの昇降移動を案内するスラットガイドを小径の金属製ワイヤーロープから形成している。
【０００３】
ところで、このようなブラインドは、外壁にブラケットを介して取り付られることが一般的であり、取付作業のために専用工具等が必要になるため、専門業者が行わなければ作業が困難で、施工性やメンテナンス性に劣ると共に、高価な製品になるという問題がある。
【０００４】
また、特許文献２（実開昭５３−１４１８３３号公報）に記載されたブラインドを有するサッシ枠では、サッシ上枠の最外端にブラインド収納溝を一体に成形して、これにブラインドを装せしめている。
【０００５】
しかしながら、特許文献２に記載されたサッシ枠では、ブラインド収納溝を一体に成形しているために、サッシ枠が高価になり、且つ、サッシ枠を施工するときにブラインドを取り付けることを予定している場合にしか適用することができないという問題がある。
【０００６】
【特許文献１】実開昭６１−１５０９９５号公報
【特許文献２】実開昭５３−１４１８３３号公報
【発明の開示】
【発明が解決しようとする課題】
【０００７】
本発明はかかる課題に鑑みなされたものであり、屋外側に簡単に設定することができる外付けブラインドを提供することをその目的とする。
【課題を解決するための手段】
【０００８】
前述した目的を達成するために、請求項１記載の発明は、サッシ枠の屋外側に設けられたレールに嵌め込み可能なレール部を上下に有する枠体と、該枠体内に配置される遮蔽材支持体と、遮蔽材支持体に支持されて、枠体内を遮蔽可能であると共に開閉動作可能な遮蔽材と、遮蔽材を開閉動作させるための操作部と、を有することを特徴とする。
【０００９】
また、請求項２記載の発明は、請求項１記載のサッシ枠の屋外側に設けられたレールは網戸用レールであることを特徴とする。
【００１０】
請求項３記載の発明は、請求項１または２記載のものにおいて、枠体の屋外側には、網戸のレール部が嵌め込み可能な網戸用レール部が設けられることを特徴とする。
【発明の効果】
【００１１】
本発明によれば、サッシ枠の屋外側に設けられているレールに、枠体の上下のレール部を嵌め込むと、枠体内に設けられた遮蔽材を簡単に屋外側に設定することができるようになる。操作部を操作して遮蔽材を動作させると、開閉動作をさせることができ、適宜、遮蔽・採光を行ったり、通風を行ったりすることができるようになる。
【００１２】
また、このようなブラインドの取り外しを希望する場合には、逆の手順によりサッシ枠のレールから枠体を取り外すこともできる。こうして、簡単にブラインドの設定・設定解除することができるようになり、メンテナンス性も向上する。また、簡単な構成であるので、安価なコストで製造することができる。
【００１３】
また、請求項２記載の発明によれば、通常サッシ枠の屋外側に設けられているレールとしては網戸用レールとなってことが多いために、この網戸用レールを利用することで、既設のレールを利用してブラインドを簡単に取り付けることができる。
【００１４】
請求項３記載の発明によれば、サッシ枠の屋外側に設けられた網戸用のレールをブラインド用に使用した場合には網戸を設定することができなくなるが、枠体に設けられた網戸用取付レールに網戸を嵌め込むことにより、網戸とブラインドの両方を簡単に設定することができるようになる。
【発明を実施するための最良の形態】
【００１５】
以下、図面を用いて本発明の実施の形態を説明する。
【００１６】
図１及び図２は本発明の実施形態にかかる外付けブラインドの正面図及びその側面から見た断面図である。図において、外付けブラインド１０は、窓枠であるサッシ枠３０の網戸用レール３２に取り付けられるのに適して構成されている。そのため、ブラインド１０は枠体１２を備えており、枠体１２の上側と下側には、それぞれ網戸用レール３２にはめ込み可能となったレール部１２ａ、１２ｂが形成されている。
【００１７】
枠体１２内には、ブラインド１４が設定される。ブラインド１４は、主として、ブラインド支持体１６と、ブラインド支持体１６に吊下げ支持され、枠体１２の中央開口内に配設される遮蔽材である多数のスラット２０と、操作部である操作コード２６とを有している。
【００１８】
より詳細には、枠体１２の上枠部１２ｃ内にブラケット１３によりブラインド支持体１６が取り付けられている。そして、ブラインド支持体１６からはラダーコード１８が垂下されており、ラダーコード１８によって多数のスラット２０が上下に整列状態に支持される。ラダーコード１８の下端はスラット２０の下方に配置されるボトムレール２２に連結される。また、ブラインド支持体１６からは昇降コード２４が垂下されており、昇降コード２４の下端側は各スラット２０に形成された昇降コード挿通穴を挿通して、その下端がボトムレール２２に連結される。そして、昇降コード２４の上端側はブラインド支持体１６内に導入されている。
【００１９】
ブラインド支持体１６内には、昇降駆動機構と傾斜駆動機構とが配設されている。この昇降駆動機構及び傾斜駆動機構の構成は任意のものとすることができるが、例えば、昇降駆動機構には、昇降コード２４の上端が巻取り・巻解き可能に連結されており、昇降コード２４を巻取りまたは巻解きすることにより、昇降コード２４の下端側を上昇または下降させることができ、これによってボトムレール２２及びスラット２０を昇降することができるようになっている。また、例えば、傾斜駆動機構には、ラダーコード１８の上端が巻取り・巻解き可能に連結されており、ラダーコード１８を所定長さだけ巻取りまたは巻解きすることにより、ラダーコード１８の前後の垂直コードを相対的に上下移動させることができ、これによってスラット２０を回転させることができるようになっている。ブラインド支持体１６の一端部からは操作コード２６が垂下されており、操作コード２６はブラインド支持体１６内の昇降駆動機構と傾斜駆動機構とを駆動可能となっている。
【００２０】
こうしてスラット２０は、枠体１２の中央開口内において、昇降・回転といった開閉動作可能に配置される。また、ブラインド支持体１６から枠体１２の下枠部１２ｄに渡ってガイドワイヤ２８が張設されており、ガイドワイヤ２８は各スラット２０を貫通して、スラット２０のばたつきを防止している。
【００２１】
このように構成される外付けブラインド１０においては、枠体１２のレール部１２ａ、１２ｂを網戸用レール３２に嵌め込むことにより、簡単に屋外側に外付けブラインド１０を取り付けることができる。サッシ枠３０の網戸用レール３２よりも屋内側にあるレール３４、３４には、通常のガラス戸３６を取り付けることができるので、ガラス戸３６を開けることにより、室内と屋外とを外付けブラインド１０を介して隔てることができる。そして、外付けブラインド１０の操作コード２６を操作することにより、スラット２０の昇降・回転を行って、適宜、採光を調整することができる。また、ガラス戸３６を開けたままの状態であれば、通風の調整を行うこともできる。
【００２２】
尚、この実施形態では、サッシ枠の屋外側に設けられた網戸用レールを利用していたが、これに限るものではなく、サッシ枠の屋外側に設けられた任意のレールを利用することが可能である。
【００２３】
図３は、本発明の第２実施形態を表す図である。前実施形態と同様の部材は、同一の符号を付している。
【００２４】
この実施形態では、枠体１２の屋外側の面に、さらなるレール部１２ｅ、１２ｆが上下に形成されている。このレール部１２ｅ、１２ｆは網戸用レール部となっており、このレール部１２ｅ、１２ｆに網戸４０のレール部４０ａ、４０ｂが嵌め込み可能となっている。本発明ではサッシ枠３０に設けられた網戸用レール３２にブラインド１０が取り付けられるために、網戸用レール３２に網戸４０を取り付けることができなくなるが、この実施形態によれば、網戸４０を枠体１２のレール部１２ｅ、１２ｆに取り付けることにより、ブラインド１４と共に取り付けることができるようになり、ブラインド１４と網戸４０の両方をサッシ枠３０に設定することができるようになる。この網戸４０のレール部４０ａ、４０ｂのレール部１２ｅ、１２ｆへの取り付けは、枠体１２を網戸用レール３２に取り付けるのと同様の公知の方法により、簡単に行うことができる。
【００２５】
尚、以上の実施形態においては、外付けブラインド１０の枠体１２内に設定され、ブラインド支持体１６と遮蔽材２０とを主として有するブラインド１４として、スラットを有する横型ブラインドを例にとって説明した。しかしながら、この横型ブラインドに限るものではなく、ロールスクリーン、プリーツスクリーン、縦型ブラインド、クライマー式横型ブラインド等の任意のブラインドとすることが可能である。クライマー式横型ブラインドの場合には、スラット２０を支持するブラインド支持体１６を、枠体１２内で昇降可能に設けることで、同様に構成することができる。また、遮蔽材による開閉動作は、遮蔽材であるスラット２０の昇降、回転動作、遮蔽材であるスクリーンの昇降動作、遮蔽材であるルーバの回転、移動動作等のいずれか１つ以上の動作とすることができる。
【図面の簡単な説明】
【００２６】
【図１】本発明の第１実施形態にかかる外付けブラインドをサッシ枠に設定した状態を表す屋外側から見た図である。
【図２】図１の外付けブラインドの縦断面図である。
【図３】本発明の第２実施形態にかかる外付けブラインドをサッシ枠に設定した状態を表す屋外側から見た図である。
【図４】図３の外付けブラインドの縦断面図である。
【符号の説明】
【００２７】
１０  外付けブラインド
１２  枠体
１２ａ、１２ｂ  レール部
１２ｅ、１２ｆ  網戸用レール部
１４  ブラインド
１６  ブラインド支持体（遮蔽材支持体）
２０  スラット（遮蔽材）
２６  操作コード（操作部）
３０  サッシ枠
３２  網戸用レール
４０  網戸
４０ａ、４０ｂ  レール部
【図１】
2005282072.tif 000003
【図２】
2005282072.tif 000004
【図３】
2005282072.tif 000005
【図４】
2005282072.tif 000006